(57)【要約】  【課題】  ＤＶＤビデオ規格に準拠した光ディスクにおいてタイムサーチ先がスライドショーであり、オーディオデータのみであっても、当該オーディオデータに対応する静止画を出画できる機能を有する光ディスク再生装置を提供する。  【解決手段】  タイムサーチ要求があると、解析されたサーチ時間に基づいてサーチ先アドレスが決定され、決定されたサーチ先アドレスのナビゲーション・パックが取得される。取得されたナビゲーション・パックにビデオデータが無かった場合には、前記取得されたナビゲーション・パックに含まれるデータサーチ情報からビデオデータを持つ前段ビデオ・オブジェクト・ユニットの先頭アドレスが取得され、取得された先頭アドレスのデータを読み込みナビゲーション・パックに含まれるデータサーチ情報のジェネラル情報に基づいてビデオデータのみが取得される。そして、オーディオデータに対応する静止画が出画される。【選択図】      図４
2006066025.tif 000002
【特許請求の範囲】
【請求項１】
ＤＶＤビデオ規格などに準拠して光ディスクに記録された情報を再生することが可能な
光ディスク再生装置において、ユーザからのタイムサーチ要求に応答してサーチ時間の解
析を行なうサーチ時間解析手段と、前記解析されたサーチ時間に基づいてサーチ先アドレ
スを決定するサーチ先アドレス決定手段と、前記決定されたサーチ先アドレスのナビゲー
ション・パックを取得するナビゲーション・パック取得手段と、前記取得されたナビゲー
ション・パックの内容を検索してビデオデータが無かった場合に、前記取得されたナビゲ
ーション・パックに含まれるデータサーチ情報からビデオデータを持つ前段ビデオ・オブ
ジェクト・ユニットの先頭アドレスを取得する先頭アドレス取得手段と、前記取得された
先頭アドレスのデータを読み込みナビゲーション・パックに含まれるデータサーチ情報の
ジェネラル情報に基づいてビデオデータのみを取得するビデオデータ取得手段と、前記取
得されたビデオデータを再生する制御を行うと共に、タイムサーチ指定時間からのアドレ
スに基づいて読み出されたオーディオデータを再生する制御を行う再生制御手段とを有す
るシステムコントローラを備えたことを特徴とする光ディスク再生装置。
【請求項２】
ＤＶＤビデオ規格などに準拠して光ディスクに記録された情報を再生することが可能な
光ディスク再生装置において、ユーザからのタイムサーチ要求に応答して解析されたサー
チ時間に基づいてサーチ先アドレスを決定し、前記決定されたサーチ先アドレスのナビゲ
ーション・パックを取得し、前記取得されたナビゲーション・パックの内容を検索してビ
デオデータが無かった場合に、前記取得されたナビゲーション・パックに含まれるデータ
サーチ情報からビデオデータを持つ前段ビデオ・オブジェクト・ユニットの先頭アドレス
を取得し、前記取得された先頭アドレスのデータを読み込みビデオデータのみを取得して
再生すると共に、タイムサーチ指定時間からのアドレスに基づいてオーディオデータを読
み出して再生する制御を行うシステムコントローラを備えたことを特徴とする光ディスク
再生装置。
【請求項３】
前記ビデオデータのみの取得は、前記先頭アドレスのデータを読み込み、ナビゲーショ
ン・パックに含まれるデータサーチ情報のジェネラル情報に基づいて行うことを特徴とす
る請求項２に記載の光ディスク再生装置。
【請求項４】
前記システムコントローラは、ユーザからのタイムサーチ要求に応答してサーチ時間の
解析を行なうサーチ時間解析手段と、前記解析されたサーチ時間に基づいてサーチ先アド
レスを決定するサーチ先アドレス決定手段と、前記決定されたサーチ先アドレスのナビゲ
ーション・パックを取得するナビゲーション・パック取得手段と、前記取得されたナビゲ
ーション・パックの内容を検索してビデオデータが無かった場合に、前記取得されたナビ
ゲーション・パックに含まれるデータサーチ情報からビデオデータを持つ前段ビデオ・オ
ブジェクト・ユニットの先頭アドレスを取得する先頭アドレス取得手段と、前記取得され
た先頭アドレスのデータを読み込みナビゲーション・パックに含まれるデータサーチ情報
のジェネラル情報に基づいてビデオデータのみを取得するビデオデータ取得手段と、前記
取得されたビデオデータを再生する制御を行うと共に、タイムサーチ指定時間からのアド
レスに基づいて読み出されたオーディオデータを再生する制御を行う再生制御手段とを有
することを特徴とする請求項２に記載の光ディスク再生装置。
【発明の詳細な説明】
【技術分野】
【０００１】
本発明は、ＤＶＤビデオ規格などに準拠して光ディスクに記録された情報を再生するこ
とが可能な光ディスク再生装置に関する。
【背景技術】
【０００２】
近年、光ディスクとしてＤＶＤ（デジタル・バーサタイル・ディスク）が普及してきて
いる。このようなＤＶＤには、ＭＰＥＧ２などによる画像データ圧縮技術やオーディオデ
ータ圧縮技術の採用により、様々な種類のデータが混在して格納されていると共に各種の
機能を実現するための制御データ（ナビゲーション・パック情報等）が格納されている。
【０００３】
ＤＶＤに例えば映画を記録する場合、通常はビデオデータとオーディオデータが記録さ
れるが、それ以外に複数の言語の字幕データを記録しておくことにより、ユーザが選択し
た言語の字幕を表示することが可能になる。また、映画監督や出演者のプロフィールなど
の静止画データも記録させておくことにより、ユーザの操作によって、それらのプロフィ
ールなどを表示することが可能になる。更に、ＤＶＤの再生動作を一時停止して、その後
、再び再生動作をさせた場合、停止位置から再び再生を開始させる所謂レジューム機能が
光ディスク再生装置に備えられている。このように光ディスク再生装置では、ＤＶＤから
様々なデータを読み出して、それらの各種機能を実現するための動作を行う。
【０００４】
図５は従来の光ディスク再生装置におけるタイムサーチの動作を説明するためのデータ
構成図である。このデータ構成図を参照して従来のタイムサーチの動作について説明する
。
【０００５】
図５において、０：００：２０からオーディオデータＡを再生して行くと、当然、ビデ
オデータａが出画されている。即ち、０：００：２０から再生して行くと、０：００：０
０から０：０１：００までの１分まではビデオデータａが再生されている状態で、オーデ
ィオデータＡが再生されていることになる。そして、この状態で、ユーザからタイムサー
チ“０：０１：１０”の要求があると、指定時間（タイムサーチ先）より再生される。
【特許文献１】特開２００３−３３３５０８号公報
【特許文献２】特開平９−２５９５４２号公報
【発明の開示】
【発明が解決しようとする課題】
【０００６】
しかしながら、この従来技術の場合、ビデオデータｂによる静止画は出画されずに、ビ
デオデータａによる静止画を出画したままとなる。即ち、この従来の光ディスク再生装置
においては、ＤＶＤビデオにおけるスライドショー（静止画のビデオデータの後にオーデ
ィオデータのみで構成されたデータ）に対してタイムサーチを行うと、データの構成上、
指定時間のオーディオデータに対応する静止画が出画されないと言う課題がある。
【０００７】
なお、特許文献１の従来技術は、ＤＶＤオーディオ規格に準拠した光ディスクに対する
静止画制御方法および静止画制御装置であり、ＤＶＤビデオ規格に準拠した光ディスクに
対する光ディスク再生装置に関するものではない。
【０００８】
また、特許文献２の従来技術は、サーチ先にビデオデータが無ければ、前のデータの方
向に進んで行ってビデオデータがあるところまで検索して画像を表示するようにしている
が、ユーザが希望する画像とは少しずれた画像を表示する場合があるので、ユーザにとっ
ては使い勝手が劣る場合がある。
【０００９】
本発明は、上記のような課題を解決するためになされたもので、ＤＶＤビデオ規格など
に準拠した光ディスクにおいてタイムサーチ先がスライドショーであり、オーディオデー
タのみであっても、当該オーディオデータに対応する静止画を出画できる機能を有する光
ディスク再生装置を提供することを目的とする。
【課題を解決するための手段】
【００１０】
上記目的を達成するために、請求項１の発明は、ＤＶＤビデオ規格などに準拠して光デ
ィスクに記録された情報を再生することが可能な光ディスク再生装置において、ユーザか
らのタイムサーチ要求に応答してサーチ時間の解析を行なうサーチ時間解析手段と、前記
解析されたサーチ時間に基づいてサーチ先アドレスを決定するサーチ先アドレス決定手段
と、前記決定されたサーチ先アドレスのナビゲーション・パックを取得するナビゲーショ
ン・パック取得手段と、前記取得されたナビゲーション・パックの内容を検索してビデオ
データが無かった場合に、前記取得されたナビゲーション・パックに含まれるデータサー
チ情報からビデオデータを持つ前段ビデオ・オブジェクト・ユニットの先頭アドレスを取
得する先頭アドレス取得手段と、前記取得された先頭アドレスのデータを読み込みナビゲ
ーション・パックに含まれるデータサーチ情報のジェネラル情報に基づいてビデオデータ
のみを取得するビデオデータ取得手段と、前記取得されたビデオデータを再生する制御を
行うと共に、タイムサーチ指定時間からのアドレスに基づいて読み出されたオーディオデ
ータを再生する制御を行う再生制御手段とを有するシステムコントローラを備えたことを
特徴とする光ディスク再生装置を提供する。
【００１１】
この構成において、ユーザからタイムサーチ要求があると、これに応答してサーチ時間
がサーチ時間解析手段により解析され、解析されたサーチ時間に基づいてサーチ先アドレ
スがサーチ先アドレス決定手段により決定される。前記決定されたサーチ先アドレスのナ
ビゲーション・パックはナビゲーション・パック取得手段により取得され、前記取得され
たナビゲーション・パックの内容が検索されビデオデータが無かった場合には、前記取得
されたナビゲーション・パックに含まれるデータサーチ情報のジェネラル情報からビデオ
データを持つ前段ビデオ・オブジェクト・ユニットの先頭アドレスが先頭アドレス取得手
段により取得され、前記取得された先頭アドレスのデータを読み込みナビゲーション・パ
ックに含まれるデータサーチ情報のジェネラル情報に基づいてビデオデータのみがビデオ
データ取得手段により取得される。そして、再生制御手段により、前記取得されたビデオ
データを再生する制御が行われると共に、タイムサーチ指定時間からのアドレスに基づい
て読み出されたオーディオデータを再生する制御が行われる。この結果、オーディオデー
タに対応する静止画が出画される。
【００１２】
この構成によれば、ＤＶＤビデオ規格などに準拠した光ディスクにおいてタイムサーチ
先がスライドショーであり、オーディオデータのみであっても、当該オーディオデータに
対応する静止画を出画することができ、ユーザにとっては使い勝手が良くなる。。
【００１３】
請求項２の発明は、ＤＶＤビデオ規格などに準拠して光ディスクに記録された情報を再
生することが可能な光ディスク再生装置において、ユーザからのタイムサーチ要求に応答
して解析されたサーチ時間に基づいてサーチ先アドレスを決定し、前記決定されたサーチ
先アドレスのナビゲーション・パックを取得し、前記取得されたナビゲーション・パック
の内容を検索してビデオデータが無かった場合に、前記取得されたナビゲーション・パッ
クに含まれるデータサーチ情報からビデオデータを持つ前段ビデオ・オブジェクト・ユニ
ットの先頭アドレスを取得し、前記取得された先頭アドレスのデータを読み込みビデオデ
ータのみを取得して再生すると共に、タイムサーチ指定時間からのアドレスに基づいてオ
ーディオデータを読み出して再生する制御を行うシステムコントローラを備えたことを特
徴とする光ディスク再生装置を提供する。
【００１４】
この構成において、ユーザからタイムサーチ要求があると、これに応答してサーチ時間
が解析され、解析されたサーチ時間に基づいてサーチ先アドレスが決定され、この決定さ
れたサーチ先アドレスのナビゲーション・パックが取得される。そして、前記取得された
ナビゲーション・パックの内容が検索されビデオデータが無かった場合には、前記取得さ
れたナビゲーション・パックに含まれるデータサーチ情報からビデオデータを持つ前段ビ
デオ・オブジェクト・ユニットの先頭アドレスが取得され、前記取得された先頭アドレス
のデータを読み込みナビゲーション・パックに含まれるデータサーチ情報のジェネラル情
報に基づいてビデオデータのみが取得される。そして、前記取得されたビデオデータを再
生する制御が行われると共に、タイムサーチ指定時間からのアドレスに基づいて読み出さ
れたオーディオデータを再生する制御が行われる。この結果、オーディオデータに対応す
る静止画が出画される。
【００１５】
この構成によれば、ＤＶＤビデオ規格などに準拠した光ディスクにおいてタイムサーチ
先がスライドショーであり、オーディオデータのみであっても、当該オーディオデータに
対応する静止画を出画することができ、ユーザにとっては使い勝手が良くなる。。
【００１６】
請求項３の発明では、請求項２の発明において、前記ビデオデータのみの取得は、前記
先頭アドレスのデータを読み込み、ナビゲーション・パックに含まれるデータサーチ情報
のジェネラル情報に基づいて行うので、当該オーディオデータに対応する静止画を出画す
ることが可能になる。
【００１７】
請求項４の発明では、請求項２の発明において、前記システムコントローラは、ユーザ
からのタイムサーチ要求に応答してサーチ時間の解析を行なうサーチ時間解析手段と、前
記解析されたサーチ時間に基づいてサーチ先アドレスを決定するサーチ先アドレス決定手
段と、前記決定されたサーチ先アドレスのナビゲーション・パックを取得するナビゲーシ
ョン・パック取得手段と、前記取得されたナビゲーション・パックの内容を検索してビデ
オデータが無かった場合に、前記取得されたナビゲーション・パックに含まれるデータサ
ーチ情報からビデオデータを持つ前段ビデオ・オブジェクト・ユニットの先頭アドレスを
取得する先頭アドレス取得手段と、前記取得された先頭アドレスのデータを読み込みナビ
ゲーション・パックに含まれるデータサーチ情報のジェネラル情報に基づいてビデオデー
タのみを取得するビデオデータ取得手段と、前記取得されたビデオデータを再生する制御
を行うと共に、タイムサーチ指定時間からのアドレスに基づいて読み出されたオーディオ
データを再生する制御を行う再生制御手段とを有するので、ＤＶＤビデオ規格などに準拠
した光ディスクにおいてタイムサーチ先がスライドショーであり、オーディオデータのみ
であっても、当該オーディオデータに対応する静止画を出画することができる構成を実現
できる。
【発明の効果】
【００１８】
以上のように本発明によれば、ユーザからのタイムサーチ要求に応答してサーチ時間の
解析を行なうサーチ時間解析手段と、前記解析されたサーチ時間に基づいてサーチ先アド
レスを決定するサーチ先アドレス決定手段と、前記決定されたサーチ先アドレスのナビゲ
ーション・パックを取得するナビゲーション・パック取得手段と、前記取得されたナビゲ
ーション・パックの内容を検索してビデオデータが無かった場合に、前記取得されたナビ
ゲーション・パックに含まれるデータサーチ情報からビデオデータを持つ前段ビデオ・オ
ブジェクト・ユニットの先頭アドレスを取得する先頭アドレス取得手段と、前記取得され
た先頭アドレスのデータを読み込みナビゲーション・パックに含まれるデータサーチ情報
のジェネラル情報に基づいてビデオデータのみを取得するビデオデータ取得手段と、前記
取得されたビデオデータを再生する制御を行うと共に、タイムサーチ指定時間からのアド
レスに基づいて読み出されたオーディオデータを再生する制御を行う再生制御手段とを有
するシステムコントローラを備えたので、ＤＶＤビデオ規格に準拠した光ディスクにおい
てタイムサーチ先がスライドショーであり、オーディオデータのみであっても、当該オー
ディオデータに対応する静止画を出画することができ、ユーザにとっては使い勝手が良く
なる。。
【００１９】
また、本発明によれば、ユーザからのタイムサーチ要求に応答して解析されたサーチ時
間に基づいてサーチ先アドレスを決定し、前記決定されたサーチ先アドレスのナビゲーシ
ョン・パックを取得し、前記取得されたナビゲーション・パックの内容を検索してビデオ
データが無かった場合に、前記取得されたナビゲーション・パックに含まれるデータサー
チ情報からビデオデータを持つ前段ビデオ・オブジェクト・ユニットの先頭アドレスを取
得し、前記取得された先頭アドレスのデータを読み込みビデオデータのみを取得して再生
すると共に、タイムサーチ指定時間からのアドレスに基づいてオーディオデータを読み出
して再生する制御を行うシステムコントローラを備えたので、ＤＶＤビデオ規格に準拠し
た光ディスクにおいてタイムサーチ先がスライドショーであり、オーディオデータのみで
あっても、当該オーディオデータに対応する静止画を出画することができ、ユーザにとっ
ては使い勝手が良くなる。。
【発明を実施するための最良の形態】
【００２０】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２１】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２２】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２３】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２４】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２５】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４と、データを一時的に格納するＲＡＭ２５とを備えている。
【００２６】
システムコントローラ２２は、本実施形態の特徴とする構成要素として、ユーザからの
タイムサーチ要求に応答してサーチ時間の解析を行なうサーチ時間解析手段２２１と、前
記解析されたサーチ時間に基づいてサーチ先アドレスを決定するサーチ先アドレス決定手
段２２２と、前記決定されたサーチ先アドレスのナビゲーション・パックを取得するナビ
ゲーション・パック取得手段２２３と、前記取得されたナビゲーション・パックの内容を
検索してビデオデータが無かった場合に、前記取得されたナビゲーション・パックに含ま
れるデータサーチ情報からビデオデータを持つ前段ビデオ・オブジェクト・ユニットの先
頭アドレスを取得する先頭アドレス取得手段２２４と、前記取得された先頭アドレスのデ
ータを読み込みナビゲーション・パックに含まれるデータサーチ情報のジェネラル情報に
基づいてビデオデータのみを取得するビデオデータ取得手段２２５と、前記取得されたビ
デオデータを再生する制御を行うと共に、タイムサーチ指定時間からのアドレスに基づい
て読み出されたオーディオデータを再生する制御を行う再生制御手段２２６とを有する。
【００２７】
図２は本実施形態においてＤＶＤビデオ規格に準拠した光ディスクに記録されるＶＯＢ
（ビデオ・オブジェクト）のデータ構造を示す図である。
【００２８】
図２において、ＶＯＢは複数のセルによって構成されており、各セルは複数のＶＯＢＵ
（ビデオ・オブジェクト・ユニット）によって構成されている。各ＶＯＢＵ（ビデオ・オ
ブジェクト・ユニット）は、ＮＶ＿ＰＣＫ（ナビゲーション・パック）と、Ｖ＿ＰＣＫ（
ビデオ・パック）と、ＳＰ＿ＰＣＫ（サブピクチャ・パック）と、Ａ＿ＰＣＫ（オーディ
オ・パック）との少なくとも１つを含んでいる。
【００２９】
ＮＶ＿ＰＣＫ（ナビゲーション・パック）情報は、ＰＣＩ（再生制御情報）とＤＳＩ（
データサーチ情報）を含んで構成されている。ＰＣＩ（再生制御情報）とＤＳＩ（データ
サーチ情報）には、ＶＯＢＵ（ビデオ・オブジェクト・ユニット）のデータ量、タイトル
の再生を開始してから対応するＶＯＢＵ（ビデオ・オブジェクト・ユニット）の再生を開
始するまでの再生時間、次に再生すべきＶＯＢＵ（ビデオ・オブジェクト・ユニット）の
位置などの情報が設定されている。また、ＤＳＩ（データサーチ情報）ビデオには、ビデ
オデータを持つ前段ＶＯＢＵの先頭アドレスを示すＢＷＤＩ（バックワード情報）が含ま
れている。なお、ＰＣＩ（再生制御情報）には、当該光ディスクがレジューム再生可能で
ある場合は、レジューム再生が可能であることを判別するためのレジューム可能情報も含
まれる。
【００３０】
Ｖ＿ＰＣＫ（ビデオ・パック）と、ＳＰ＿ＰＣＫ（サブピクチャ・パック）と、Ａ＿Ｐ
ＣＫ（オーディオ・パック）とは、それぞれ再生データの種別（動画、サブ・ピクチャ、
オーディオ）などの情報が含まれているパックヘッダ、パケットヘッダや、データ圧縮さ
れた圧縮再生データ（ビデオデータ、サブピクチャデータ、オーディオデータ）を含んで
構成されている。
【００３１】
図３は本実施形態においてタイムサーチの動作を説明するためのデータ構成図である。
このデータ構成図を参照してタイムサーチの動作について説明する。
【００３２】
図３において、０：００：２０からオーディオデータＡを再生して行くと、当然、ビデ
オデータａが出画されている。即ち、０：００：２０から再生して行くと、０：００：０
０から０：０１：００までの１分まではビデオデータａが再生されている状態で、オーデ
ィオデータＡが再生されていることになる。そして、この状態で、ユーザからタイムサー
チ“０：０１：１０”の要求があると、指定時間（タイムサーチ先）のＮＶ＿ＰＣＫ（ナ
ビゲーション・パック）を取得し、このＮＶ＿ＰＣＫ（ナビゲーション・パック）に含ま
れるＤＳＩ（データサーチ情報）のＢＷＤＩ（バックワード情報）を取得する。このＢＷ
ＤＩ（バックワード情報）により、ビデオデータｂの先頭アドレスを取得することができ
る。即ち、ＤＳＩ（データサーチ情報）のＢＷＤＩ（バックワード情報）によりビデオデ
ータｂの位置を確認する。
【００３３】
この後、前記取得した先頭アドレスのアドレスデータを読み込み、ＮＶ＿ＰＣＫ（ナビ
ゲーション・パック）に含まれるＤＳＩ＿ＧＩ（データサーチ情報・ジェネラル情報）よ
りビデオデータのみをビデオデコーダ１５（図１参照）に転送する。これにより、ビデオ
データｂによる静止画がディスプレイ装置２０（図１参照）に出画される。そして、タイ
ムサーチ指定時間に対応するアドレスからオーディオデータＢが再生される。
【００３４】
図４は本実施形態においてタイムサーチの動作を説明するためのフローチャートである
。このフローチャートを参照して本実施形態におけるタイムサーチの動作について説明す
る。
【００３５】
ユーザが操作部２１を操作してタイムサーチ要求があると、タイムサーチの処理が開始
し（ステップＳ１）、これに応答してサーチ時間がシステムコントローラ２２のサーチ時
間解析手段２２１により解析され（ステップＳ２）、この解析されたサーチ時間に基づい
てサーチ先アドレスがサーチ先アドレス決定手段２２２により決定される（ステップＳ３
）。前記決定されたサーチ先アドレスのＮＶ＿ＰＣＫ（ナビゲーション・パック）は、ナ
ビゲーション・パック取得手段２２３により取得される（ステップＳ４）。
【００３６】
前記取得されたＮＶ＿ＰＣＫ（ナビゲーション・パック）の内容が検索（ビデオデータ
が有るか否かが検索）され、ビデオデータが無かった場合には（ステップＳ５）、前記取
得されたＮＶ＿ＰＣＫ（ナビゲーション・パック）に含まれるＤＳＩ（データサーチ情報
）ビデオのジェネラル情報からビデオデータを持つ前段ビデオ・オブジェクト・ユニット
の先頭アドレスが先頭アドレス取得手段２２４により取得され（ステップＳ６）、ビデオ
データの存在箇所をサーチし（ステップＳ７）、前記取得された先頭アドレスのデータを
読み込みＮＶ＿ＰＣＫ（ナビゲーション・パック）に含まれるデータサーチ情報のジェネ
ラル情報に基づいてビデオデータのみがビデオデータ取得手段２２５により取得される（
ステップＳ８）。
【００３７】
そして、再生制御手段２２６により、前記取得されたビデオデータを再生する制御が行
われてビデオデータのデコード出画（ステップＳ９）が行われると共に、タイムサーチ指
定時間からのアドレスに基づいて読み出されたオーディオデータを再生する制御（サーチ
先アドレスへのシークする制御）が行われる（ステップＳ１０）。この結果、ＤＶＤビデ
オ規格に準拠した光ディスクにおいてタイムサーチ先がスライドショーであり、オーディ
オデータのみであっても、当該オーディオデータに対応する静止画を出画することができ
（ステップＳ１１）、ユーザにとっては使い勝手が良くなる。
【００３８】
以上説明したように本実施形態によれば、ＤＶＤビデオ規格に準拠した光ディスクにお
いてタイムサーチ先がスライドショーであり、オーディオデータのみであっても、当該オ
ーディオデータに対応する静止画を出画することができ、ユーザにとっては使い勝手が良
くなる。
【図面の簡単な説明】
【００３９】
【図１】本発明の一実施形態に係る光ディスク再生装置の構成を示すブロック図である。
【図２】前記実施形態においてＤＶＤビデオ規格に準拠した光ディスクに記録されるＶＯＢ（ビデオ・オブジェクト）のデータ構造を示す図である。
【図３】前記実施形態においてタイムサーチの動作を説明するためのデータ構成図である。
【図４】前記実施形態においてタイムサーチの動作を説明するためのフローチャートである。
【図５】従来の光ディスク再生装置におけるタイムサーチの動作を説明するためのデータ構成図である。
【符号の説明】
【００４０】
１    光ディスク
２２    システムコントローラ
２２１    サーチ時間解析手段
２２２    サーチ先アドレス決定手段
２２３    ナビゲーション・パック判定手段
２２４    先頭アドレス取得手段
２２５    ビデオデータ取得手段
２２６    再生制御手段
【図１】
2006066025.tif 000003
【図２】
2006066025.tif 000004
【図３】
2006066025.tif 000005
【図４】
2006066025.tif 000006
【図５】
2006066025.tif 000007